(57)【要約】    【課題】バール等の部材や工具類でこじ開けにくい防盗性に優れた扉のロック装置を提供する。    【解決手段】筐体の開口部を覆うように設けられるとともに、ヒンジを介してその筐体に取り付けられて片開きする扉のロック装置であって、前記ヒンジの設けられている側と反対側の前記体筐の開口部の一辺全体に沿ってその筐体に設けられた係合部と、前記扉が閉じられたときに、前記筐体に設けられている係合部と対向する位置の前記扉に設けられるとともに、その係合部全体と係合するように設けられた係止部と、解錠されたときに、前記係合部又は前記係止部を移動させてそれら係合部及び係止部を係合させ、又はその係合を解く移動機構とからなる。    【選択図】図４
2008084048.tif 000002
【特許請求の範囲】
【請求項１】
筐体の開口部を覆うように設けられるとともに、ヒンジを介してその筐体に取り付けられて片開きする扉のロック装置であって、
前記ヒンジの設けられている側と反対側の前記筐体の開口部の一辺全体に沿ってその筐体に設けられた係合部と、
前記扉が閉じられたときに、前記筐体に設けられている係合部と対向する位置の前記扉に設けられるとともに、その係合部全体と係合するように設けられた係止部と、
前記係合部又は前記係止部を移動させて係合させ、又はその係合を解くロック機構を備えた移動機構と、
を有することを特徴とする扉のロック装置。
【請求項２】
請求項１に記載の扉のロック装置において、前記移動機構は、前記扉に設けられていることを特徴とする扉のロック装置。
【請求項３】
請求項１又は２に記載の扉のロック装置において、前記移動機構は、内部にロック機構を備えた所定角度内で回転するレバーからなることを特徴とする扉のロック装置。
【請求項４】
請求項１〜３のいずれかに記載の扉のロック装置において、前記係合部は、一端が前記体筐に固定されたＬ字状の係合片を所定の間隔を保って複数個設けてなり、前記係止部は、そのＬ字状の係合片の開口に挿入できる複数個の係止片からことを特徴とする扉のロック装置。
【請求項５】
請求項４に記載の扉のロック装置において、前記複数個の係止片の内の一部は、前記Ｌ字状の係合片の開口に挿入できるローラからなることを特徴とする扉のロック装置。
【請求項６】
請求項５に記載の扉のロック装置において、前記ローラは、前記係止部の両端側にそれぞれ設けられていることを特徴とする扉のロック装置。
【請求項７】
請求項１〜６のいずれかに記載の扉のロック装置において、前記扉が閉じられたときのその扉と前記筐体との当接箇所を覆うカバー片をその扉又はその筐体に設けたことを特徴とする扉のロック装置。
【発明の詳細な説明】
【技術分野】
【０００１】
本発明は、扉のロック装置に係り、特に、硬貨や紙幣等の金銭を取り扱う筐体に設けられる扉に好適なものに関する。
【背景技術】
【０００２】
従来、例えば、硬貨や紙幣等の金銭を取り扱う自動販売機においては、防盗性の強化を図るために、本来のロック装置以外に補助錠を装着したり（特許文献１参照）、あるいは、解錠の手間数を増加させたロック装置を用いるようにしている（特許文献２参照）。
【特許文献１】特開平９−３１７２８２号公報
【特許文献２】特開２０００−２０８１３号公報
【発明の開示】
【発明が解決しようとする課題】
【０００３】
しかしながら、上記従来の扉のロック装置は、ロック装置本体自身に防盗性を高めるための各種の工夫がなされているが、ロック装置による筐体と扉との結合箇所が一カ所、あるいは、互いに所定距離離れた複数箇所であるため、バール等の棒状部材や工具類により扉がこじ開けられやすいという欠点があった。
【０００４】
そこで、本発明は、上記欠点を解決するためになされたものであって、その目的は、バール等の部材や工具類により扉がこじ開けられにくくした防盗性に優れた扉のロック装置を提供することにある。
【課題を解決するための手段】
【０００５】
本発明に係る扉のロック装置は、上記目的を達成するために、請求項１に記載の発明は、筐体の開口部を覆うように設けられるとともに、ヒンジを介してその筐体に取り付けられて片開きする扉のロック装置であって、前記ヒンジの設けられている側と反対側の前記筐体の開口部の一辺全体に沿ってその筐体に設けられた係合部と、前記扉が閉じられたときに、前記筐体に設けられている係合部と対向する位置の前記扉に設けられるとともに、その係合部全体と係合するように設けられた係止部と、前記係合部又は前記係止部を移動させて係合させ、又はその係合を解くロック機構を備えた移動機構とを有することを特徴としている。
本発明の請求項２に記載の扉のロック装置は、移動機構は扉に設けられていることを特徴としている。
本発明の請求項３に記載の扉のロック装置は、移動機構は内部にロック機構を備えた所定角度内で回転するレバーからなることを特徴としている。
本発明の請求項４に記載の扉のロック装置は、係合部は一端が体筐に固定されたＬ字状の係合片を所定の間隔を保って複数個設けてなり、係止部はそのＬ字状の係合片の開口に挿入できる複数個の係止片からことを特徴としている。
本発明の請求項５に記載の扉のロック装置は、複数個の係止片の内の一部はＬ字状の係合片の開口に挿入できるローラからなることを特徴としている。
本発明の請求項６に記載の扉のロック装置は、ローラは係止部の両端側にそれぞれ設けられていることを特徴としている。
本発明の請求項７に記載の扉のロック装置は、扉が閉じられたときのその扉と筐体との当接箇所を覆うカバー片をその扉又はその筐体に設けたことを特徴としている。
【発明の効果】
【０００６】
本発明の請求項１に記載の扉のロック装置は、ヒンジの設けられている側と反対側の筐体の開口部の一辺全体に沿ってその筐体に設けられた係合部と、扉が閉じられたときに、前記筐体に設けられている係合部と対向する位置の前記扉に設けられるとともに、その係合部全体と係合するように設けられた係止部と、前記係合部又は前記係止部を移動させて係合させ、又はその係合を解くロック機構を備えた移動機構とを有しているので、扉がロックされているときは、扉の開く側の辺全体が固定され、バール等の部材や工具類により扉がこじ開けられにくく、防盗性に優れたものとすることができる。
本発明の請求項２に記載の扉のロック装置は、移動機構は扉に設けられているので、ロック装置の操作が容易に行えるという特長を有することができる。
本発明の請求項３に記載の扉のロック装置は、移動機構は内部にロック機構を備えた所定角度内で回転するレバーからなるので、ロック装置の操作が容易に行えるという特長を有することができる。
本発明の請求項４に記載の扉のロック装置は、係合部は一端が体筐に固定されたＬ字状の係合片を所定の間隔を保って複数個設けてなり、係止部はそのＬ字状の係合片の開口に挿入できる複数個の係止片からので、簡単に実施することができる。
本発明の請求項５に記載の扉のロック装置は、複数個の係止片の内の一部はＬ字状の係合片の開口に挿入できるローラからなるので、扉を閉じたときの位置決めが容易に行える特長を有することができる。
本発明の請求項６に記載の扉のロック装置は、ローラは係止部の両端側にそれぞれ設けられているので、扉を閉じたときの位置決めがより容易に行える特長を有することができる。
本発明の請求項７に記載の扉のロック装置は、扉が閉じられたときのその扉と筐体との当接箇所を覆うカバー片をその扉又はその筐体に設けたので、バール等の部材や工具類が扉と筐体との間に入りにくくなり、より防盗性に優れたものとすることができる。
【発明を実施するための最良の形態】
【０００７】
以下、本発明を実施するための最良の形態を図面を用いて説明する。図１（ａ）は本発明に係る扉のロック装置を鉄道の駅に設置される自動券売機ａに適用したときのその正面図、同図（ｂ）はその左側面図、同図（ｃ）はその右側面図である。図中、１は、鋼製からなる自動券売機ａの筐体であり、２は、その筐体１の正面側に設けられている開口部全面を覆うように設けられた鋼製からなる片開きの扉である。また、図２（ａ）はその自動券売機ａの平面図で、扉２が閉じた状態を示し、同図（ｂ）は扉２が開いた状態を示している。そして、上記筐体１内には、図示しないが、発券装置等の機器類が装着されているとともに、上記扉２には、主として利用者（旅客）によって操作される機器類が装着されている。
【０００８】
図中、３は、扉２の上部に設けられている案内部であり、利用者（旅客）がこの自動券売機ａにより乗車券を購入できること、及びこの自動券売機ａにより利用者の所持している無線通信機能を備えたＩＣカードからなる非接触型媒体（図示せず）に対して金額の積み増しができることを案内できるように構成されている。また、４は、案内部３の下方に設けられている表示画面であって、後述する金銭投入部から投入された金額や釣銭額等の所定の内容を利用者に案内できるように構成されている。
【０００９】
図中、５は、表示画面４の下方に設けられている口座釦部であって、この自動券売機ａから発券可能な乗車券の種類に対応した口座釦群が設けられている。また、６は、その口座釦部５の右隣に設けられている金銭投入部であって、硬貨及び紙幣の金銭を投入できるように構成されている。そして、７は、乗車券を小児（子供）用に選択する選択釦、非接触型媒体に対する金額の積増額を選択する選択釦、乗車券の購入を中止することを選択する選択釦等からなる選択釦部である。
【００１０】
図中、８は、選択釦部７の下方に設けられている乗車券を発券するとともに、釣銭を返却する排出する排出部であり、９は、その排出部８の右側に設けられている非接触型媒体を挿入するためのポケット部である。このポケット部９には、非接触型媒体に記憶されているＳＦデータを用いて乗車券を購入するとき、又はその非接触型媒体に金額の積み増しを行うときにその非接触型媒体が挿入される。
【００１１】
図中、１０は、扉２の高さの中間よりも少し下方で、その扉２の左側に設けられているレバーであり、そのレバー１０の回転軸部に当たる部分に図示しないキー（鍵）の挿入口（鍵穴）１１が設けられている。そして、その挿入口１１にキーが差し込まれてそのレバー１０内に組み込まれているロック機構（図示せず）が解錠（開錠）されたときには、レバー１０が図１（ａ）に矢印で示されるように、所定の角度（例えば９０°）内で時計方向又は反時計方向に往復回転できるように構成されている。なお、このレバー１０に対向する扉２の裏面側には、後述する係止部が設けられていて、レバー１０の回転軸に連結されている図示しないリンク機構を介してレバー１０の往復回転に合わせて上下方向に移動できるように構成されている（後述する図５（ａ），（ｂ）の矢印参照）。
【００１２】
図中、１２は、扉２が閉じられたときのその扉２と筐体１との当接箇所を覆うカバー片であり、図１（ｂ）のＸ3−Ｘ3線断面図である図３に示されるように、ビス１３及びナット１４を用いて扉２に固定されている。このように、扉２と筐体１との当接箇所がカバー片１２で覆われているので、扉２が閉じられたときには、扉２と筐体１との当接箇所にバール等の部材や工具類の入る余地が無く、防盗性に優れた扉とすることができる。さらに、このビス１３の頭部は、ビス１３を回転させるための溝等は一切設けられずに平滑に形成されていて、扉２の表側からの回動ができないように工夫されている。また、このビス１３の頭部に近い軸部分は、角柱に形成されていて、その角柱部分が扉２に設けられている角柱に挿入しナット１４によるビス１３の締め付けが容易に行えるように工夫されている。なお、図示の例では、カバー片１２を扉２に固定した例を示したが、このカバー片１２を筐体１に固定することもできる。
【００１３】
図中、１５はヒンジであって、図１（ａ）において扉２の右側の一辺の全体に渡って間断無く設けられている。すなわち、このヒンジ１５は、体筐１の開口部の一辺全体と、その開口部の一辺全体に対向する扉２の右側の一辺の全体との間にその一辺に渡って隙間無く設けられている。したがって、このヒンジ１５の部分にバール等の部材や工具類の入る余地が無く、防盗性に優れた扉とすることができる。
【００１４】
以下、図４（ａ），（ｂ）〜図９を用いて本発明の特徴ある扉のロック装置について説明する。先ず、図４（ａ）は、扉２のロックが解錠され、扉２が開いている状態を示す上記図１（ｂ）の側面図に相当する説明図であり、後述する係合部と係止部との係合状態が解かれている状態を模式的に示しており、同図（ｂ）は、扉２が閉じられてロックされている状態を示す上記図１（ｂ）の側面図に相当する説明図であり、後述する係合部と係止部とが係合している状態を模式的に示している。そして、図５（ａ），（ｂ）には、扉２を省略した図４（ａ），（ｂ）の上部の部分の詳細が示されている。また、図６〜図９には、図５（ａ）のＸ6−Ｘ6線〜Ｘ9−Ｘ9線の断面図がそれぞれ示されている。
【００１５】
この扉のロック装置は、筐体１側に設けられる係合部２０と扉２側に設けられる係止部３０とを有している。筐体１側に設けられる係合部２０は、ヒンジ１５の設けられている側と反対側の体筐１の開口部の一辺全体に沿って所定の間隔を保って複数個（図示の例では１２個）の係合片２１，２１…が溶接等により固定されている。これら係合片２１，２１…は、Ｌ字状の十分な強度を有する金具からなり、そのＬ字状の金具の一端部が体筐１に固定されているとともに、そのＬ字状の金具の他端部が体筐１との間に下向きに開口した開口部を有している。そして、これら係合片２１，２１…の内、上から二番目と下から二番目の括弧書きで示される係合片（２１），（２１）は、他の係合片２１，２１…よりも少し大きく形成されていて、係止部３０に設けられている後述するローラが係合片（２１）内に挿入できるように構成されている。
【００１６】
図４中、２２は、体筐１の開口部の上辺全体に沿ってその開口部の面から少し突出して設けられた舌片であり、また、２３は、その開口部の下辺全体に沿ってその開口部の面から少し突出して設けられた舌片である。扉２の内側（体筐１の開口部に面する側）には、図示しないが、これら舌片２２，２３を受け入れる凹条部が設けられているので、扉２が閉じられたときには、舌片２２，２３により、扉２と筐体１との当接箇所にバール等の部材や工具類が入りにくくなり、防盗性を高めることができる。
【００１７】
扉２側に設けられる係止部３０は、十分な強度を有するＣ型鋼からなり、図５（ａ）のＸ6−Ｘ6線断面図である図６に示されるように、その端面形状はコ字状を呈しているとともに、上記係合部２０の長さに対応した長尺状に形成されている。そして、この係止部３０の長尺状の一方の長片３１側は、係合部２０の長手方向と同方向に、かつ、その長手方向に沿って移動できるように扉２の内側に設けられている。すなわち、この係止部３０の長片３１には、長軸方向が係止部３０の長手方向と平行する所定長さの複数個（図示の例では４個）の長孔３２，３２…が設けられている。そして、それら長孔３２，３２…には、長孔３２内を移動できる太さのピン３３，３３…を介して扉２の内側に設けられている。
【００１８】
また、この扉２側に設けられる係止部３０の長尺状の短片３４側には、上記係合部２０の係合片２１，２１…の設置間隔に合わせて係止片３５，３５…が設けられているとともに、それら係止片３５，３５…間は、係合片２１が十分に挿入できる大きさの窓部３６，３６…に形成されている。そして、上から二番目と下から二番目の係合片（２１），（２１）に対応する係止片３５，３５の箇所には、はローラ３７，３７がそれぞれ設けられている。これらローラ３７，３７の径は、係合片（２１），（２１）内に挿入できるように決められている。
【００１９】
上記構成からなる係止部３０は、上述したように、レバー１０の回転軸に連結されている図示しないリンク機構を介してそのレバー１０の回転軸に合わせて上下方向に移動できるように構成されている（図５（ａ），（ｂ）の矢印参照）。したがって、レバー１０の挿入口１１にキーが差し込まれ、そのレバー１０内に組み込まれているロック機構が解錠されてレバー１０が所定角度（例えば９０°）回転されたときに、係止部３０は、図４（ａ）（図５（ａ））の状態となって係合部２０と係止部３０との係合が解かれて扉２を開くことができる。また、扉２を閉じた状態でレバー１０を上述と反対方向に所定角度（例えば９０°）回転させると、係合部２０と係止部３０との係合が行われ、次いで、レバー１０のキー（鍵）の挿入口１１に挿入されたキーを操作して施錠すると、係合部２０と係止部３０との係合が固定され、扉２をロックすることができる。
【００２０】
なお、上述の例では、レバー１０により係止部３０を移動させるようにしたが、レバー１０により係合部２０を移動させるようにしてもよい。この場合は、レバー１０及び係合部２０を移動させるリンク機構は筐体１側に設けられる。また、上述の例では、扉のロック装置を鉄道の駅に設置される自動券売機ａに適用した例を示したが、自動精算機等の他の駅務機器に適用することもでき、さらに、各種の自動販売機に適用することもできるとともに、ＡＴＭ等の金融機器にも適用することもできる。
【図面の簡単な説明】
【００２１】
【図１】（ａ）は本発明に係る扉のロック装置を鉄道の駅に設置される自動券売機に適用したときのその正面図、（ｂ）はその左側面図、（ｃ）はその右側面図である。
【図２】（ａ）はその自動券売機ａの平面図で、扉が閉じた状態を示し、（ｂ）は扉が開いた状態を示している。
【図３】図１（ｂ）のＸ3−Ｘ3線断面である。
【図４】（ａ）は扉のロックが解錠されている状態を示す説明図であり、（ｂ）は扉がロックされている状態を示す説明図である。
【図５】（ａ）は扉のロックが解錠されている状態を示す詳細図であり、（ｂ）は扉がロックされている状態を示す詳細図である。
【図６】図５（ａ）のＸ6−Ｘ6線断面図である。
【図７】図５（ａ）のＸ7−Ｘ7線断面図である。
【図８】図５（ａ）のＸ8−Ｘ8線断面図である。
【図９】図５（ａ）のＸ9−Ｘ9線断面図である。
【符号の説明】
【００２２】
ａ  自動券売機
１  筐体
２  扉
１０  レバー
１１  挿入口
１２  カバー
１３  ビス
１４  ナット
１５  ヒンジ
２０  係合部
２１  係合片
３０  係止部
３１  長片
３２  長孔
３３  ピン
３４  短片
３５  係止片
３６  窓部
３７  ローラ
【図１】
2008084048.tif 000003
【図２】
2008084048.tif 000004
【図３】
2008084048.tif 000005
【図４】
2008084048.tif 000006
【図５】
2008084048.tif 000007
【図６】
2008084048.tif 000008
【図７】
2008084048.tif 000009
【図８】
2008084048.tif 000010
【図９】
2008084048.tif 000011